(57)【特許請求の範囲】
【請求項１】
自動販売機の前面扉２の前面に露出させて固定され、中央稍上寄りに戻りコイン取出口１５を有するとともに、該戻りコイン取出口１５の両縁から後方に向かって回動支持片１７，１７が突設された枠体１２と、
前記戻りコイン取出口１５に整合する前面蓋板１９、該前面蓋板１９の背面量側縁から後方に突出した側壁板２０，２０、該両側壁板２０，２０の後端縁を繋いだ背面板２１、及び該背面板２１と前記前面蓋板１９の略中央とにかけての斜面を閉鎖する受け板２２を有し、コインの取出し及び保持が可能な範囲内で前記回動支持片１７，１７に通したシャフト１８をもって回動自在に支持され、かつ背面下部に錘２５が固定されたコイン受箱１３と、
両側壁２７，２７及び背面壁２８によって、前面が開口した横断面が略コ字状に形成されるとともに下部に前下がりに傾斜した導水板２９を有し、該導水板２９と両側壁２７，２７とにより前下がりの樋状をした排水路３０を構成し、前記枠体１２の背面に固定されて前記コイン受箱１３後方を囲むカバー１４とを備えて構成され、
前記コイン受箱１３の受板の最下部に水抜き孔２６が開けられているとともに、前記枠体１２の戻りコイン取出口１５の下方に排水口１６が形成され、該排水口１６に前記排水路３０を連通させ、
前記コイン受箱１３は、コインを保持した状態では該コインの重量によって該コイン受箱上部が前記戻りコイン取出口１５から前方へ突出してコインを取り出せるようにし、空の状態では前記錘２５によって前記コイン受箱上部が後方に付勢されて前記戻りコイン取出口１５が閉鎖されるようにしたことを特徴としてなる自動販売機の戻りコイン取出装置。
【発明の詳細な説明】
【０００１】
【発明の属する技術分野】
本発明は、缶入飲料等の自動販売機内のコインメカニズムから排出されたコインを外部から取出自在に保持する自動販売機の戻りコイン取出装置に関する。
【０００２】
【従来の技術】
従来の缶入飲料等の自動販売機の戻りコイン取出装置では、図６に示すように、自動販売機の前面扉２に戻りコイン取出口３が設けられ、戻りコイン取出口３には、蓋４が上端のヒンジを介して開閉自在に取り付けられている。そして、戻りコイン取出口３の後方に設けられたコイン受け部５にコインメカニズムよりコイン６が搬出されると、蓋４を手で開くことによりコイン６が取り出せるようになっている。
【０００３】
【発明が解決しようとする課題】
しかし、上述のような従来の技術では、戻りコイン取出口が自動販売機の下部に取り付けられた場合には、コインを取り出すときにコインが見づらく、また取り出し難いという問題があった。
【０００４】
また、戻りコイン取出口から針金や細身の棒などを自動販売機内に突っ込み、硬貨を盗んだり自動販売機内を破壊されたりするという問題があった。
【０００５】
また、自動販売機が野外に設置されている場合、戻りコイン取出装置内に雨水が浸入し、装置内部に水が貯まってしまい戻りコイン取出装置の汚れや劣化を招くという問題があり、また、装置内部に貯まった水が自動販売機本体内に流れ出した場合には、電気系統の故障等を招く原因にもなりかねない。
【０００６】
本発明は、このような従来の技術の状況を鑑み、コインが取り出しやすく、盗難やいたずらを防止することができ、戻りコイン取出装置内に入った水を好適に外部へ排水できる自動販売機の戻りコイン取出装置を提供することを目的とする。
【０００７】
【課題を解決するための手段】
上述のごとき従来の問題を解決し、所期の目的を達成するための本発明に係る自動販売機の戻りコイン取出装置の特徴を後述する実施例中の符号を付して説明すると、自動販売機の前面扉２の前面に露出させて固定され、中央稍上寄りに戻りコイン取出口１５を有するとともに、該戻りコイン取出口１５の両縁から後方に向かって回動支持片１７，１７が突設された枠体１２と、
前記戻りコイン取出口１５に整合する前面蓋板１９、該前面蓋板１９の背面量側縁から後方に突出した側壁板２０，２０、該両側壁板２０，２０の後端縁を繋いだ背面板２１、及び該背面板２１と前記前面蓋板１９の略中央とにかけての斜面を閉鎖する受け板２２を有し、コインの取出し及び保持が可能な範囲内で前記回動支持片１７，１７に通したシャフト１８をもって回動自在に支持され、かつ背面下部に錘２５が固定されたコイン受箱１３と、
両側壁２７，２７及び背面壁２８によって、前面が開口した横断面が略コ字状に形成されるとともに下部に前下がりに傾斜した導水板２９を有し、該導水板２９と両側壁２７，２７とにより前下がりの樋状をした排水路３０を構成し、前記枠体１２の背面に固定されて前記コイン受箱１３後方を囲むカバー１４とを備えて構成され、
前記コイン受箱１３の受板の最下部に水抜き孔２６が開けられているとともに、前記枠体１２の戻りコイン取出口１５の下方に排水口１６が形成され、該排水口１６に前記排水路３０を連通させ、
前記コイン受箱１３は、コインを保持した状態では該コインの重量によって該コイン受箱上部が前記戻りコイン取出口１５から前方へ突出してコインを取り出せるようにし、空の状態では前記錘２５によって前記コイン受箱上部が後方に付勢されて前記戻りコイン取出口１５が閉鎖されるようにしたことにある。
【０００８】
尚、コインメカニズムから搬出されたコインを戻りコイン受箱に誘導する傾斜搬出路がカバー上部に一体的に備えられることが好ましい。
【０００９】
【発明の実施の形態】
次に、本発明に係る自動販売機の戻りコイン取出装置の実施の形態を図１〜５について説明する。
【００１０】
図において、１は自動販売機の本体、２は前面扉、１０は戻りコイン取出装置、１１は露出窓である。
【００１１】
戻りコイン取出装置１０は、前面扉２の前面に露出される枠体１２と、コインメカニズムより搬出されたコイン６を受け止めて保持するコイン受箱１３と、コイン受箱１２の両側方および後方を囲むカバー１４とを備えている。
【００１２】
枠体１２は、露出窓１１より横幅が広く、縦幅が略同じな平板状にプラスチック等の合成樹脂をもって形成される。枠体１２の前面中央稍上寄りには、戻しコイン取出口１５が設けられ、この戻しコイン取出口１５を介して、コイン受箱１３の前面部分が外部に露出するようになっており、戻しコイン取出口１５の下方には横長の排水口１６が形成されている。
【００１３】
また、戻しコイン取出口１５の両側縁から後方に向かって回動支持片１７，１７が突設され、両回動支持片にシャフト１８を通してコイン受箱１３をコインの取り出し及び保持が可能な範囲内で回動自在に支持できるようになっている。
【００１４】
そして、枠体１２は、前面扉２の後方から前面扉２の裏面にネジ止めなどにより着脱可能に取り付けられて、前面扉２の前面に露出するようになっている。
【００１５】
コイン受箱１３は、戻りコイン取出口１５に整合して成形され戻りコイン取出口の蓋を兼ねる前面蓋板１９と、前面蓋板１９の背面両側縁から後方に突出し上縁部が後方に向かって傾斜した側壁板２０，２０と、両側壁板２０，２０の後端縁を繋ぎ背面を閉鎖する背面板２１と、コイン受箱の背面板上端部から前面蓋部略中央にかけての斜面を閉鎖する受け板２２とを備え、コイン受箱上部には前面蓋板１９、受け板２２及び両側壁２０，２０をもってコイン保持部２３が形成されている。
【００１６】
そして、コイン受箱１３の両側壁板２０，２０の略中央部分には、回動支持用孔２４，２４が設けられており、コイン受箱１３は、回動支持用孔２４，２４を回動中心として、シャフト１８を通して回動支持片１７，１７に回動自在に支持され、コインの取り出し及び保持が可能な範囲内でコイン受箱１３の上部が、枠体１２の戻りコイン取出口１５から前方へ突出するようになっている。
【００１７】
また、コイン受箱１３の背面下部には、金属塊等からなる錘２５が固定されており、コイン受箱上部を後方へ付勢するようになっている。
【００１８】
また、受け板２２の最下部には水抜き孔２６，２６…が開けられ、コイン受箱１３内に入った水を下方へ排水するようになっている。
【００１９】
尚、バネを介してコイン受箱１３を付勢してもよく、また、コイン受箱の上部が後方へ付勢される際には、コイン受箱の回動速度を低下させるように、ダンパー等を設けてもよい。
【００２０】
カバー１４は、両側壁２７，２７及び背面壁２８を備え、前面が開口した横断面略コ字状に鉄板等を折り曲げ加工して形成され、その下部にはカバー下部を閉鎖する前下がりに傾斜した導水板２９が一体的に備えられ、導水板２９及び両側壁２７，２７とにより前下がりの樋状の排水路３０が形成され、この排水路３０が枠体１２に設けられた排水口１６と連通するようになっている。
【００２１】
カバー上部には、コインメカニズムから搬出されたコイン６をコイン受箱１３内に誘導する前下がりに傾斜した傾斜搬出路（シュート）３１が一体的に備えられている。
【００２２】
また、カバー両側壁２７，２７の前縁部には両側壁とは直角に外側に向かって取付部３２，３２が突設され、カバーは、枠体１２を介してネジ止めなどにより前面扉２に着脱可能に取り付けられるようになっている。
【００２３】
そして、取り付けられたカバー１４は、コイン受箱１３の両側方、後方及び下方をそれぞれ側壁２７，２７、背面壁２８及び導水板２９により囲むようになっている。尚、カバー１４は、プラスチックなどの合成樹脂を用いて形成してもよい。
【００２４】
このように構成される戻りコイン取出装置１０は、通常、図１に示すように、錘２５の重量によりコイン受箱１３の上部が後方へ付勢され、コイン受箱１３は前面扉２の内側に格納され、枠体１２の戻りコイン取出口３がコイン受箱１３の前面蓋板１９により閉鎖された状態になっている。
【００２５】
コイン６がコインメカニズムより搬出されると、図２に示すように、傾斜搬出路３１に送られ、その傾斜搬出路３１に誘導されてコイン受箱１３内に送られる。
【００２６】
ここで、受け板２２は前下がりに傾斜しているのでコインは前方へ移動し、コイン受箱１３はコイン６の重量によりその重心位置が変化し、コイン受箱上部が戻りコイン取出口１５から前方に突出する。そのことにより、コイン保持部２３に保持されたコイン６を取り出すことができるようになる。
【００２７】
そして、コイン６を取り去ると、錘２５に付勢され、コイン受箱１３が元の状態に復帰する。
【００２８】
また、コイン受箱１３内に雨等によって入ってしまった水は、水抜き孔２６，２６…を通って排水路３０に流れていき、排水路３０を斜め下方に流れ、そして、排水路３０に連通した排水口１６より自動販売機の外部に排水されるようになっている。
【００２９】
尚、上述の実施例では、枠体１２に回動支持片１７，１７を設けた場合について説明したが、カバーの両側壁に回動支持孔を設け、シャフトを介して、コイン受箱をコインの取り出し及び保持が可能な範囲で回動自在に支持してもよい。
【００３０】
尚、枠体及びカバーを一体化して箱状に形成してもよく、枠体を溶接などにより前面扉に固定してもよい。
【００３１】
【発明の効果】
自動販売機の前面に設けられた戻りコイン取出口と、コインメカニズムより搬出されたコインを受け止めて保持するコイン受箱と、前記戻りコイン取出口の後方から前面扉に着脱可能に取り付けられ少なくとも前記コイン受箱の両側方及び後方を囲むカバーとを備え、前記コイン受箱がコインの取出及び保持が可能な範囲内で回動自在に支持され、コインを保持した状態では前記コイン受箱上部が前記戻りコイン取出口から前方へ突出してコインを取り出せるようにし、空の状態では前記コイン受箱上部が後方へ付勢され前記戻りコイン取出口が閉鎖するようにしたことにより、上側が開口しているのでコインが見易く、かつ取りやすくなり、また、カバーによって針金や棒等の侵入を阻止することができ、悪戯や盗難を防止することができる。
【００３２】
コインメカニズムから搬出されたコインをコイン受箱に誘導する傾斜搬出路がカバー上部に一体的に備えられたことにより、より確実にコインメカニズムより搬出されたコインをコイン受箱の前方に送り出せ、より確実な重心移動が図れ、また、上方をカバーして悪戯や盗難を防止することができる。
【００３３】
また、コイン受箱下部に形成された一若しくは複数の水抜き孔と、前面扉前面に開けられた排水口とを備え、カバー下部には前下がりに傾斜した導水板がカバーの下部を閉鎖するように一体的に備えられ、前記導水板と前記カバーの両側壁とにより構成される樋状の排水路が前記排水口に連通され、前記コイン受箱に侵入した水を自動販売機の外部に排水できるようにしたことにより、コイン受箱内に入ってしまった水を好適に排水することができ、コイン受箱内に雨水を貯めず、いつも清潔に保つことができ、劣化もし難くなる。
【００３４】
また、水が自動販売機本体に流れ出すことを防止することができる。
【図面の簡単な説明】
【図１】本発明に係る自動販売機の戻りコイン取出装置の実施の形態の一例であって、通常時を示す縦断面図である。
【図２】同上のコイン受箱が前方に突出した状態を示す縦断面図である。
【図３】（Ａ）は同上の戻りコイン取出口の閉じた状態を示す斜視図、（Ｂ）は同コイン受箱が突出した状態を示す斜視図である。
【図４】同上の自動販売機の戻りコイン取出装置の分解斜視図である。
【図５】同上の自動販売機への適用例を示す斜視図である。
【図６】従来の自動販売機の戻りコイン取出装置の一例を示す縦断面図である。
【符号の説明】
１  自動販売機本体
２  前面扉
６  コイン
１０  戻りコイン取出装置
１１  露出窓
１２  枠体
１３  コイン受箱
１４  カバー
１５  戻しコイン取出口
１６  排水口
１７  回動支持片
１８  シャフト
１９  前面蓋板
２０  側壁板
２１  背面板
２２  受け板
２３  コイン保持部
２４  回動支持用孔
２５  錘
２６  水抜き孔
２７  側壁
２８  背面壁
２９  導水板
３０  排水路
３１  傾斜搬出路
３２  取付部
【図１】
0003648626.tif 000002
【図２】
0003648626.tif 000003
【図３】
0003648626.tif 000004
【図４】
0003648626.tif 000005
【図５】
0003648626.tif 000006
【図６】
0003648626.tif 000007